(57)【要約】    【課題】  目の前方に表示手段を配置する支持手段を容易に着脱することができるヘッドマウントディスプレイ装置を提供する。    【解決手段】  頭部に装着されるリアアーム１０と、このリアアーム１０に装着され、左右の耳に配置される２つのヘッドホン部１５，１６と、目の前方に映像表示部３０を配置するためのフロントアーム２０とを備えているヘッドマウントディスプレイ装置において、ヘッドホン部１５，１６の一方にフロントアーム２０を摩擦力で着脱可能に連結した。【選択図】     図１
2005189622.tif 000002
【特許請求の範囲】
【請求項１】
頭部に装着される装着手段と、
この装着手段に装着され、左右の耳に配置される２つのサイド部材と、
目の前方に表示手段を配置するための支持手段と、
前記サイド部材の一方に前記支持手段を着脱可能に連結する連結手段と
を備えているヘッドマウントディスプレイ装置において、
前記連結手段は前記支持手段を前記サイド部材に機械的な係合又は嵌合により連結することを特徴とするヘッドマウントディスプレイ装置。
【請求項２】
頭部に装着される装着手段と、
この装着手段に装着され、左右の耳に配置される２つのサイド部材と、
目の前方に表示手段を配置するための支持手段と、
前記サイド部材の一方に前記支持手段を着脱可能に連結する連結手段と
を備えているヘッドマウントディスプレイ装置において、
前記連結手段は前記支持手段を前記サイド部材に磁力で連結することを特徴とするヘッドマウントディスプレイ装置。
【請求項３】
前記支持手段を収容する収容部を備えていることを特徴とする請求項１又は２記載のヘッドマウントディスプレイ装置。
【請求項４】
前記表示手段が上下方向へ移動可能なように前記サイド部材に前記支持手段が連結されていることを特徴とする請求項１〜３のいずれか１項記載のヘッドマウントディスプレイ装置。
【請求項５】
前記連結手段は、前記支持手段を支持する支持部材と、前記２つのサイド部材に設けられ、前記支持部材に設けられた支持部材側連結部と摩擦係合されるサイド部材側連結部とを有することを特徴とする請求項１、３又は４記載のヘッドマウントディスプレイ装置。
【請求項６】
前記支持部材は前記収容部に固定されていることを特徴とする請求項５記載のヘッドマウントディスプレイ装置。
【請求項７】
前記支持部材側連結部は突起であり、前記サイド部材側連結部は前記突起が摺動可能に嵌合する凹部である
ことを特徴とする請求項５又は６記載のヘッドマウントディスプレイ装置。
【請求項８】
前記凹部は前記突起が前後方向へ摺動できる長穴である
ことを特徴とする請求項７記載のヘッドマウントディスプレイ装置。
【請求項９】
前記支持手段を支持する側と反対側の前記サイド部材の凹部はダミー部材で塞がれていることを特徴とする請求項７又は８記載のヘッドマウントディスプレイ装置。
【発明の詳細な説明】
【技術分野】
【０００１】
この発明は頭部に装着されて使用されるヘッドマウントディスプレイ装置に関する。
【背景技術】
【０００２】
従来のヘッドマウントディスプレイ装置として、頭部に装着される頭部装着部材と、この頭部装着部材に装着され、左右の耳に配置されるスピーカ部と、スピーカ部の一方に着脱可能に連結された表示装置とを備えているものがある（下記公報参照）。
【０００３】
このヘッドマウントディスプレイ装置では、表示装置を使用しないときは、スピーカ部から表示装置を取り外すことができる。
【特許文献１】特開平８−１７１３５１号公報
【発明の開示】
【発明が解決しようとする課題】
【０００４】
しかし、スピーカ部と表示装置とを連結する連結手段として、スピーカ部側に設けられた雌ねじと、表示装置側に設けられた雄ねじとが採用されているので、スピーカ部から表示装置を取り外す作業が煩雑であった。
【０００５】
この発明はこのような事情に鑑みてなされたもので、その課題は、目の前方に表示手段を配置する支持手段を容易に着脱することができるヘッドマウントディスプレイ装置を提供することである。
【課題を解決するための手段】
【０００６】
上述の課題を解決するため請求項１記載の発明は、頭部に装着される装着手段と、この装着手段に装着され、左右の耳に配置される２つのサイド部材と、目の前方に表示手段を配置するための支持手段と、前記サイド部材の一方に前記支持手段を着脱可能に連結する連結手段とを備えているヘッドマウントディスプレイ装置において、前記連結手段は前記支持手段を前記サイド部材に機械的な係合又は嵌合により連結することを特徴とする。
【０００７】
請求項２記載の発明は、頭部に装着される装着手段と、この装着手段に装着され、左右の耳に配置される２つのサイド部材と、目の前方に表示手段を配置するための支持手段と、前記サイド部材の一方に前記支持手段を着脱可能に連結する連結手段とを備えているヘッドマウントディスプレイ装置において、前記連結手段は前記支持手段を前記サイド部材に磁力で連結することを特徴とする。
【０００８】
請求項３記載の発明は、請求項１又は２記載のヘッドマウントディスプレイ装置において、前記支持手段を収容する収容部を備えていることを特徴とする。
【０００９】
請求項４記載の発明は、請求項１〜３のいずれか１項記載のヘッドマウントディスプレイ装置において、前記表示手段が上下方向へ移動可能なように前記サイド部材に前記支持手段が連結されていることを特徴とする。
【００１０】
請求項５記載の発明は、請求項１、３又は４記載のヘッドマウントディスプレイ装置において、前記連結手段は、前記支持手段を支持する支持部材と、前記サイド部に設けられ、前記支持部材に設けられた支持部材側連結部と摩擦係合されるサイド部材側連結部とを有することを特徴とする。
【００１１】
請求項６記載の発明は、請求項５記載のヘッドマウントディスプレイ装置において、前記支持部材は前記収容部に固定されていることを特徴とする。
【００１２】
請求項７記載の発明は、請求項５又は６記載のヘッドマウントディスプレイ装置において、前記支持部材側連結部は突起であり、前記サイド部材側連結部は前記突起が摺動可能に嵌合する凹部であることを特徴とする。
【００１３】
請求項８記載の発明は、請求項７記載のヘッドマウントディスプレイ装置において、前記凹部は前記突起が前後方向へ摺動できる長穴であることを特徴とする。
【００１４】
請求項９記載の発明は、請求項７又は８記載のヘッドマウントディスプレイ装置において、前記支持手段を支持する側と反対側の前記サイド部材の凹部はダミー部材で塞がれていることを特徴とする。
【発明の効果】
【００１５】
以上に説明したようにこの発明のヘッドマウントディスプレイ装置によれば、サイド部材に対して支持手段を容易に着脱することができる。
【発明を実施するための最良の形態】
【００１６】
以下、この発明の実施の形態を図面に基づいて説明する。
【００１７】
図１、図２はこの発明の第１実施形態に係るヘッドマウントディスプレイ装置であって、図１はフロントアームとヘッドホン部とが分離している状態を示す斜視図、図２はフロントアームとヘッドホン部とが結合している状態を示す斜視図である。
【００１８】
このヘッドマウントディスプレイ装置はリアアーム（装着手段）１０とヘッドホン部（サイド部材）１５，１６とフロントアーム（支持手段）２０と映像表示部（表示手段）３０とを備えている。
【００１９】
リアアーム１０は円弧状であり、使用者（図示せず）の後頭部に装着される。
【００２０】
リアアーム１０の両端部にはヘッドホン部１５，１６が設けられ、使用者の左右の耳に装着される。リアアーム１０の両端部はヘッドホン部１５，１６を介して側頭部を押圧する。ヘッドホン部１５，１６にはヘッドホン部１５，１６を耳に引っ掛けるための耳掛け部１５ａ，１６ａがそれぞれ設けられている。
【００２１】
また、リアアーム１０の一端部には弓状のフロントアーム２０を支持するほぼ円筒状の支持部材５０が取り付けられている。支持部材５０の一端部には弾性変形可能な一対の爪状の突起部（支持部材側連結部）５０ａが設けられている。ヘッドホン部１５，１６の外側には円形の凹部（サイド部材側連結部）１５ｂ，１６ｂが設けられている。凹部１５ｂ，１６ｂに支持部材５０の突起部５０ａを挿入させると、凹部１５ｂ，１６ｂと突起部５０ａとが機械的に係合し、突起部５０ａの弾性力で生ずる摩擦力でヘッドホン部１５にフロントアーム２０が十分な強さで連結される。この実施形態では一対の突起部５０ａと凹部１５ｂ，１６ｂとで連結手段が構成される。
【００２２】
また、突起部５０ａの先端に弾性変形可能な方向に伸びる凸部５０ｂが設けられ、その凸部５０ｂが凹部１５ｂの内側と嵌合しているので、突起部５０ａが更に不用意に外れにくくなっている。
【００２３】
上述のように円形の凹部１５ａ，１６ａにほぼ円筒状の支持部材５０を摩擦係合させたので、支持部材５０を中心としてフロントアーム２０を回転させることができる。
【００２４】
フロントアーム２０の先端部には使用者の目の前方に配置される映像表示部３０が設けられている。
【００２５】
映像表示部３０を使用する場合、上述のように支持部材５０の突起部５０ａを任意に選択された一方のヘッドホン部１５の凹部１５ｂ，１６ｂに摩擦係合させ、図２に示すように、映像表示部３０をフロントアーム２０とともにヘッドホン部１５に連結させる。また、映像表示部３０の使用を一時的に中断する場合、支持部材５０を中心としてフロントアーム２０を回転させ、映像表示部３０を顔面の上方へ移動させる。
【００２６】
これに対し、映像表示部３０を使用しない場合、図１に示すように、支持部材５０の突起部５０ａをヘッドホン部１５の凹部１５ｂ，１６ｂから引き抜き、映像表示部３０をフロントアーム２０とともにヘッドホン部１５から分離する。
【００２７】
この第１実施形態によれば、ヘッドホン部１５に対するフロントアーム２０の着脱作業が容易であり、ヘッドマウントディスプレイ装置を目的に応じた最適な態様で使用することが簡単にできる。
【００２８】
また、映像表示部３０を顔面の上下方向へ移動させることができる。
【００２９】
更に、突起部５０ａをいずれの凹部１５ｂ，１６ｂにも嵌合させることができるので、映像表示部３０を左右いずれの目の前方にも配置することができる。
【００３０】
図３はこの発明の第１実施形態の変形例に係るヘッドマウントディスプレイ装置であって、フロントアームとヘッドホン部とが分離している状態を示す斜視図である。図１の第１実施形態と共通する部分については同一符号を付してその説明を省略する。
【００３１】
この変形例は、フロントアーム２０を摺動可能に支持、収容する収容部４０を備えている点で、第１実施形態と相違する。
【００３２】
支持部材１５０は収容部４０に一体に成形されている。
【００３３】
この変形例によれば第１実施形態と同様の効果を奏する。
【００３４】
図４はこの発明の第１実施形態の他の変形例に係るヘッドマウントディスプレイ装置であって、フロントアーム２０とヘッドホン部１１５，１１６とが分離している状態を示す斜視図である。第１実施形態及び図３の変形例と共通する部分については同一符号を付してその説明を省略する。
【００３５】
この変形例は、ヘッドホン部１１５，１１６の凹部１１５ｂ，１１６ｂの形状の点で、第１実施形態及び図３の変形例と相違する。
【００３６】
凹部１１５ｂ，１１６ｂは使用者の前後方向へ延びる長穴である。したがって、支持部材１５０の突起部５０ａを前後方向へスライドさせることができる。
【００３７】
この変形例によれば、第１実施形態と同様の効果を奏するとともに、映像表示部３０を顔面の前後方向へ位置合わせすることができる。
【００３８】
図５、図６はこの発明の第２実施形態に係るヘッドマウントディスプレイ装置であって、図５はフロントアームとヘッドホン部とが分離している状態を示す斜視図、図６はフロントアームとヘッドホン部とが結合している状態を示す斜視図である。図１の第１実施形態及びその変形例と共通する部分については同一符号を付してその説明を省略する。
【００３９】
この第２実施形態は、フロントアーム２０をヘッドホン部２１５，２１６に磁力で連結させる点で、第１実施形態及びその変形例と相違する。
【００４０】
図７はヘッドホン部２１５，２１６と支持部材２５０の一部との断面を示す概念図である。
【００４１】
支持部材２５０の一端部には磁性材料で形成された円板部２５０ａが設けられている。ヘッドホン部２１５，２１６の外側には円形の凹部２１５ｂ，２１６ｂが設けられている。凹部２１５ｂ，２１６ｂの底面部には磁石２１５ｃ，２１６ｃが埋め込まれている。
【００４２】
凹部２１５ｂ，２１６ｂに支持部材２５０の円板部２５０ａを嵌合すると、磁石２１５ｃ，２１６ｃに支持部材２５０の円板部２５０ａが吸着され、ヘッドホン部２１５にフロントアーム２０等が連結される。この第２実施形態では支持部材２５０の円板部２５０ａとヘッドホン部２１５，２１６の凹部２１５ｂ，２１６ｂに埋め込まれた磁石２１５ｃ，２１６ｃとで連結手段が構成される。
【００４３】
上述のように円形の凹部２１５ａ，２１６ａに支持部材２５０の円板部２５０ｂを磁力で固定させたので、支持部材２５０を中心としてフロントアーム２０を回転させることができる。
【００４４】
この実施形態では、凹部２１５ａに支持部材２５０の円板部２５０ａを嵌合し、凹部２１６ｂに磁性材料で形成された円板状のダミー部材２５１を嵌合したが、この関係は逆でもよい。
【００４５】
支持部材２５０は図３の変形例と同様に収容部４０に一体に成形されている。
【００４６】
この第２実施形態によれば第１実施形態等と同様の効果を奏することができる。
【００４７】
図８はこの発明の第２実施形態の変形例に係るヘッドマウントディスプレイ装置のヘッドホン部３１５，３１６と支持部材３５０の一部との断面を示す概念図、図９はヘッドホン部３１５，３１６と支持部材３５０の一部との斜視図である。ヘッドホン部３１５，３１６及び支持部材３５０以外の構造は第２実施形態と共通であるので、共通部分の説明を省略する。
【００４８】
支持部材３５０の一端部には弾性変形可能な球面状の円板部３５０ａが設けられている。ヘッドホン部３１５，３１６の外側には円形の凹部３１５ｂ，３１６ｂが設けられている。凹部３１５ｂ，３１６ｂの開口縁にはストッパ部３１５ｃ，３１６ｃが設けられている。凹部３１５ｂ，３１６ｂの底面部には磁石２１５ｃ，２１６ｃは埋め込まれていない。凹部３１５ｂ，３１６ｂの底面部には端子部３１５ｄ，３１６ｄが設けられている（図９参照）。円板部３５０ａの接合面には端子部３１５ｄ，３１６ｄに対応する端子部（図示せず）が設けられている。
【００４９】
凹部３１５ｂ，３１６ｂに支持部材３５０の円板部３５０ａを嵌合すると、ストッパ部３１５ｃ，３１６ｃから円板部３５０ａが容易に外れにくくなり、支持部材３５０を介してヘッドホン部３１５，３１６にフロントアーム２０が連結される。この変形例では支持部材３５０の円板部３５０ａとヘッドホン部３１５，３１６の凹部３１５ｂ，３１６ｂのストッパ部３１５ｃ，３１６ｃとで連結手段が構成される。
【００５０】
上述のように円形の凹部３１５ｂ，３１６ｂに支持部材３５０の円板部３５０ａを嵌合させたので、支持部材３５０を中心としてフロントアーム２０を回転させることができる。
【００５１】
この変形例では、凹部３１５ｂに支持部材３５０の円板部３５０ａを嵌合し、凹部３１６ｂに磁性材料で形成された円板状のダミー部材２５１を嵌合することを想定しているが、この関係は逆でもよい。
【００５２】
この変形例によれば第２実施形態と同様の効果を奏する。
【図面の簡単な説明】
【００５３】
【図１】図１はこの発明の第１実施形態に係るヘッドマウントディスプレイ装置であって、フロントアームとヘッドホン部とが分離している状態を示す斜視図である。
【図２】図２はフロントアームとヘッドホン部とが結合している状態を示す斜視図である。
【図３】図３はこの発明の第１実施形態の変形例に係るヘッドマウントディスプレイ装置であって、フロントアームとヘッドホン部とが分離している状態を示す斜視図である。
【図４】図４はこの発明の第１実施形態の他の変形例に係るヘッドマウントディスプレイ装置であって、フロントアームとヘッドホン部とが分離している状態を示す斜視図である。
【図５】図５はこの発明の第２実施形態に係るヘッドマウントディスプレイ装置であって、フロントアームとヘッドホン部とが分離している状態を示す斜視図である。
【図６】図６はフロントアームとヘッドホン部とが結合している状態を示す斜視図である。
【図７】図７はヘッドホン部と支持部材の一部との断面を示す概念図である。
【図８】図８はこの発明の第２実施形態の変形例に係るヘッドマウントディスプレイ装置のヘッドホン部と支持部材の一部との断面を示す概念図である。
【図９】図９はヘッドホン部と支持部材の一部との斜視図である。
【符号の説明】
【００５４】
１０  リアアーム（装着手段）
１５，１６，１１５，１１６，２１５，２１６，３１５，３１６  ヘッドホン部（サイド部材）
１５ｂ，１６ｂ，１１５ｂ，１１６ｂ，２１５ｂ，２１６ｂ，３１５ｂ，３１６ｂ  凹部（サイド部材側連結部）
２０  フロントアーム（支持手段）
３０  映像表示部（表示手段）
４０  収容部
５０，１５０，２５０  支持部材
５０ａ  突起部（支持部材側連結部）
１５０ａ，２５０ａ，３５０ａ  円板部
２１５ｃ，２１６ｃ  磁石
３１５ｃ，３１６ｃ  ストッパ部
３１５ｄ，３１６ｄ  端子部
【図１】
2005189622.tif 000003
【図２】
2005189622.tif 000004
【図３】
2005189622.tif 000005
【図４】
2005189622.tif 000006
【図５】
2005189622.tif 000007
【図６】
2005189622.tif 000008
【図７】
2005189622.tif 000009
【図８】
2005189622.tif 000010
【図９】
2005189622.tif 000011